(57)【要約】【目的】容易に天井に取り付けることができると共に、調光も可能とし、しかも薄型の角形LEDシーリングライトを提供する。【構成】LED素子を内装した角形LEDシーリングライトと、該LEDシーリングライトの両側部を掴持する細長い枠体と、一方の枠体に内装したコンバーターと調光器と、交流電源の電線を介して前記コンバーターと前記調光器を連結し、電線の先端をLED素子に連結することによって、薄型として天井に容易に固定できると共に調光も可能とした。【選択図】図１
0003175219.tif 000002
【実用新案登録請求の範囲】
【請求項１】
LED素子を内装した角形LEDシーリングライトと、該LEDシーリングライトの両側部を掴持する細長い枠体と、一方の枠体に内装したコンバーターと調光器と、交流電源の電線を介して前記コンバーターと前記調光器を連結し、電線の先端をLED素子に連結したことを特徴とする角形LEDシーリングライト。
【請求項２】
前記調光器は、リモコン無線スイッチで照度をコントロールする請求項１記載のLEDシーリングライト。
【請求項３】
前記角形LEDシーリングライトの前面と後面も細長い枠体で掴持する請求項１又は２記載のLEDシーリングライト。
【請求項４】
前記角形LEDシーリングライトは、四角形の凹部の形体に形成された基板の該凹部内周に四角形のLED素子を固定し、該LED素子で囲まれた空間に四角形の導光板を収容し、その上面にカバーを載置する請求項１〜３のいずれかに記載のLEDシーリングライト。
【請求項５】
前記枠体は、断面コ字状の凹部を有する形状とし、該凹部で前記角形LEDシーリングライトを掴持する請求項１〜４のいずれかに記載のLEDシーリングライト。
【請求項６】
前記一方の枠体を外側が大きい段差を有する凹部とし、外側の大きい凹部に前記コンバーターと調光器とを内装する１〜５のいずれかに記載のLEDシーリングライト。
【請求項７】
前記角形LEDシーリングライトの裏面に連結具を連設し、天井に固定した連結具と該連結具とを連結して、角形LEDシーリングライトを天井に固定する１〜６のいずれかに記載のLEDシーリングライト。
【考案の詳細な説明】
【技術分野】
【０００１】
本考案は、天井に容易に固定できると共に、調光も可能とした角形で薄型のLEDシーリングライトに関する。
【背景技術】
【０００２】
LED（発光ダイオード）を用いた照明灯は、従来の照明灯と比べ、省エネルギー性に優れている。そのため、原発事故に起因する電源不足の問題が高まる昨今、LED照明灯に対する重要性が高まってきている。
【０００３】
従来、角形LEDシーリングライトは、天井面に取り付けられていたが、コンバーターを外付けにしていたので、取付施工が大変困難であった。即ち、コンバーターを天井裏に固定していたことと、コンバーターは、熱をもつので、固定には断熱材を使用しなければならなかったことから、従来の外付けコンバーターは、取付作業に極めて大変な作業を要した。
【０００４】
コンバーターを内付けとし、LEDシーリングライトを薄型にすれば、取付施工は容易となる。しかしながら従来のLEDは、パイプ状の太いものを使用していたので、薄型とすることはできなかった。
また、LEDシーリングライトは、就寝時には暗く出来れば便利であるが、内付けコンバーターに調光器を内付けとしたLEDシーリングライトは、従来知られていない。
【考案の開示】
【考案が解決しようとする課題】
【０００５】
この考案は、このような点に着目してなされたものであり、LEDシーリングライトを薄型として取付施工を容易とし、コンバーターと調光器を内付けとして、容易に天井に取り付けることができると共に、調光も可能とした角形LEDシーリングライトを提供することを目的とする。
【課題を解決するための手段】
【０００６】
上記目的を達成するため本考案者は、鋭意研究の結果、薄いLED素子を使用すれば、薄型と出来、LEDシーリングライトの両側部を枠体で掴持するようにし、該枠体内にコンバーターと調光器を内装することにより、内付けとできることを想到し、本考案に到達した。
【０００７】
即ち、本考案は、LED素子を内装した角形LEDシーリングライトと、該LEDシーリングライトの両側部を掴持する細長い枠体と、一方の枠体に内装したコンバーターと調光器と、交流電源からの電線を介して前記コンバーターと前記調光器を連結し、電線の先端を前記LED素子に連結したことを特徴とする。
【０００８】
前記調光器は、リモコン無線スイッチで照度をコントロールするのが好ましい（請求項２）。前記角形LEDシーリングライトの前面と後面も細長い枠体で掴持するのが好ましい（請求項３）。
【０００９】
前記角形LEDシーリングライトは、四角形の凹部の形体に形成された基板の該凹部内周に四角形のLED素子を固定し、該LED素子で囲まれた空間に四角形の導光板を収容し、その上面にカバーを載置するのが好ましい（請求項４）。
【００１０】
前記枠体は、断面コ字状の凹部を有する形状とし、該凹部で前記角形LEDシーリングライトを掴持するのが好ましい（請求項５）。
【００１１】
前記枠体の一つを外側が大きい段差を有する凹部とし、外側の大きい凹部に前記コンバーターと調光器とを内装するのが好ましい（請求項６）。
前記角形LEDシーリングライトの裏面に連結具を連結し、天井に固定した連結具と該連結具とを連結して、角形LEDシーリングライトを天井に固定するのが好ましい（請求項７）。
【考案の効果】
【００１２】
本考案によれば、LEDシーリングライトを薄型としたので取付施工が容易となり、コンバーターと調光器を内付けとしたので、従来の外付けコンバーター方式と比べて、著しく取り付け作業が容易となるほか、調光器を具備しているので、照度を容易に変えることができる利点が得られる。
【図面の簡単な説明】
【００１３】
【図１】本考案の角形LEDシーリングライトの一実施例を示す分解斜視図である。
【図２】本考案の角形LEDシーリングライトの斜視図である。
【図３】図２のA-A断面図である。
【符号の説明】
【００１４】
１・・・・・・LEDシーリングライト
２・・・・・・四角形の基板
３・・・・・・LED素子
４・・・・・・導光板
５・・・・・・カバー
６，７，８，９・・・・・・細長い枠体
１０・・・・・・コンバーター
１１・・・・・・調光器
１２・・・・・・電線
【考案を実施するための最良の形態】
【００１５】
以下、添付図面に従って、本考案の具体例を更に詳細に説明する。
【００１６】
図１〜３は、本考案の一実施例を示すものであり、角形LEDシーリングライト１は、四角形の浅い凹部の形体に形成された基板２の凹部内周に四角形のLED素子３を固定し、LED素子３内に四角形の導光板（ガラス板）４を収容し、LED素子３と導光板４の上にカバー（プラスチック板）５を位置させている。導光板４でLEDの光を均一に放射するようにし、カバー５でLEDの光を弱めている。
【００１７】
該LEDシーリングライト１の両側部は、細長い枠体６,７で掴持され、前面と後面も細長い枠体８，９で掴持されている。枠体６，８，９は、断面コ字状の凹部を有し、枠体７は、外側が大きい段差を有する凹部を有する形状になっている。枠体７の外側の大きい凹部に、図２に示すように、コンバーター１０と調光器１１が内装されている。
【００１８】
図３に示すように、LED素子３からの光が導光板４に入射し、光が均一な状態となって、カバー５から光が弱められて放射されるようになっている。導光板４とカバー５とは、図では隙間があるようになっているが、完全に接触していても勿論差し支えない。
【００１９】
天井の電源からの交流電源の電線１２を介して前記コンバーター１０と前記調光器１１が連結され、電線１０の先端は、LED素子３に連結されている。調光器１１は、リモコン無線スイッチ（図示せず）で照度をコントロールするようになっている。
【００２０】
角形LEDシーリングライトの裏面には、連結具（図示せず）が連結され、天井に固定した連結具（図示せず）と該連結具とを連結して、角形LEDシーリングライトを天井に固定するようになっている。
【産業上の利用可能性】
【００２１】
本考案によれば、LEDシーリングライトを薄型としたので取付施工が容易となり、コンバーターと調光器を内付けとしたので、従来の外付けコンバーター方式と比べて、著しく取り付け作業が容易となるほか、調光も可能であるから、その普及が期待される。
【図１】
0003175219.tif 000003
【図２】
0003175219.tif 000004
【図３】
0003175219.tif 000005